(57)【特許請求の範囲】
【請求項１】
内部に高温ガス(1)を導くチューブ(2)が多数並列されてコア(3)を形成し、そのコア(3)の外周をケーシング(4)が被嵌して冷却水(5)を前記各チューブ(2)の外周に導き、そのケーシング(4)の高温ガス入口側端部に、入口フランジ(6)が突設された熱交換器のフランジ接続構造において、
前記高温ガス(1)導入用の配管(7)の端部に設けられた配管フランジ(8)と、前記入口フランジ(6)との間にガスケット(9)が介装され、
そのガスケット(9)は、前記両フランジ(8)(6)間に挟持される挟持フランジ部(9a)と、それに一体に形成された小筒部(9b)とを具備し、その小筒部(9b)が前記入口フランジ(6)の内周の内側に位置して、その先端が前記チューブ(2)の縁にまたは、そのチューブ(2)の端部が貫通するチューブプレート(18)に近接するように構成された熱交換器のフランジ接続構造。
【請求項２】
請求項１において、
前記入口フランジ(6)は、半径方向外方に突設されたフランジ部(6a)と小筒部(6b)とが断面Ｌ字状に形成され、その入口フランジ(6)の小筒部(6b)がケーシング(4)の入口側端部とろう付け接合され、
前記入口フランジ(6)の小筒部(6b)の内側に環状の空間(10)を有して、前記ガスケット(9)の筒状部(9b)が配置されたことを特徴とする熱交換器のフランジ接続構造。
【発明の詳細な説明】
【技術分野】
【０００１】
本発明は、内燃機関の排気ガス等の高温ガスを冷却水で冷却する熱交換器において、高温ガスにより熱交換器の入口側フランジその他が異常に高温になることを防止するための熱交換器のフランジ接続構造に関する。
【背景技術】
【０００２】
従来の高温ガス−冷却水用の熱交換器として、図３に示す構造のものが提案されている。
この熱交換器は、チューブ２を多数並列してコア３を形成し、そのコア３の外周をケーシング４に被嵌して、冷却水５をチューブ２の外周に導くと共に、高温ガス１をチューブ２内に導入するものである。そのケーシング４の両端部には、一対の入口フランジ６が設けられ、その入口フランジ６がガスケット９を介して配管７の配管フランジ８にボルト11及びナット12により締結固定されていた。
【０００３】
なお、この例ではチューブ２は図５に示すように、その両端部に膨出部2aが設けられ、その膨出部2aどうしが互いに接触してコア３を構成している。そして、ケーシング４の入口パイプ16から冷却水５を導き、各チューブ２の外周を流通して、それを出口パイプ17より流出させ、チューブ２内を流通する高温ガス１との間に熱交換を行っていた。
【０００４】
【特許文献１】特開２００２−１８１４６７号公報
【特許文献２】特開２００４−１１６９１３号公報
【発明の開示】
【発明が解決しようとする課題】
【０００５】
従来の高温ガス用熱交換器は、その高温ガス１の入口側にあたる入口フランジ６に直接高温ガス１が触れるため、入口フランジ６及びその近傍が高温となり、材料の劣化が起こる。そして、入口フランジ６とろう付け接合されているケーシング４とのろう付け部を劣化させていた。
【０００６】
さらには、入口フランジ６の高温により、ケーシング４との熱膨張に差が生じ、熱応力を生じて、耐久性を劣化させていた。特に、入口フランジ６及びケーシング４がアルミニューム材からなる場合、そのろう付け部の劣化が著しかった。
そこで本発明は、かかる問題点を解決することを課題とする。
【課題を解決するための手段】
【０００７】
請求項１に記載の本発明は、内部に高温ガス(1)を導くチューブ(2)が多数並列されてコア(3)を形成し、そのコア(3)の外周をケーシング(4)が被嵌して冷却水(5)を前記各チューブ(2)の外周に導き、そのケーシング(4)の高温ガス入口側端部に、入口フランジ(6)が突設された熱交換器のフランジ接続構造において、
前記高温ガス(1)導入用の配管(7)の端部に設けられた配管フランジ(8)と、前記入口フランジ(6)との間にガスケット(9)が介装され、
そのガスケット(9)は、前記両フランジ(8)(6)間に挟持される挟持フランジ部(9a)と、それに一体に形成された小筒部(9b)とを具備し、その小筒部(9b)が前記入口フランジ(6)の内周の内側に位置して、その先端が前記チューブ(2)の縁にまたは、そのチューブ(2)の端部が貫通するチューブプレート(18)に近接するように構成された熱交換器のフランジ接続構造である。
【０００８】
請求項２に記載の本発明は、請求項１において、
前記入口フランジ(6)は、半径方向外方に突設されたフランジ部(6a)と小筒部(6b)とが断面Ｌ字状に形成され、その入口フランジ(6)の小筒部(6b)がケーシング(4)の入口側端部とろう付け接合され、
前記入口フランジ(6)の小筒部(6b)の内側に環状の空間(10)を有して、前記ガスケット(9)の筒状部(9b)が配置されたことを特徴とする熱交換器のフランジ接続構造である。
【発明の効果】
【０００９】
本発明の熱交換器のフランジ接続構造は、そのガスケット９の小筒部9bが、ケーシングの入口フランジ６の内側側に位置して、その先端がチューブ２の縁または、そのチューブ２の端部が貫通するチューブプレート18に近接するように構成したから、流入する高温ガス１が入口フランジ６に直接接触することを防止し、その温度上昇を抑制できる。それにより、入口フランジ６の材料強度の低下を防止すると共に、温度上昇に基づく熱膨張の影響を可及的に小さくすることができる。
【００１０】
上記構成において、入口フランジ６をフランジ部6a，小筒部6bから構成し、その小筒部6bをケーシング４の入口側端部とろう付け固定し、入口フランジ６の小筒部6bの内側に環状の空間10を介して、ガスケット９の小筒部9bを配置することができる。この場合には、空間10の存在により高温ガス１による入口フランジ６の温度上昇を効果的に小とできる。
【発明を実施するための最良の形態】
【００１１】
次に、図面に基づいて本発明の実施の形態につき説明する。
図１は本発明の熱交換器のフランジ接続構造の縦断面図であり、従来の図３におけるそれと同一部品及び同一部分は同一の符号を付してある。
この熱交換器はアルミニューム製のものであり、コア３は図３と同様に多数のチューブ２を並列してコア３を構成し、そのコア３の外周にケーシング４が被嵌されている。各コア３は、図５の如く、その両端部に膨出部2aが形成されると共に、外周にはディンプル15が突設されている。そして、各膨出部2aを互いに接触させたプレートレス（チューブプレートが省略されたもの）のコアである。
【００１２】
なお、各チューブ２内には、図４に示すインナーフィン14が挿入されている。そしてケーシング４の入口側は拡開され、入口タンク19を構成し、その端部が入口フランジ６の小筒部6bにろう付け接続されている。この入口フランジ６は、フランジ部6aと小筒部6bとが断面Ｌ字状に形成されたものである。そして、耐熱性材料（ステンレス鋼等）からなる配管７の配管フランジ８とフランジ部６とが、ガスケット９を介して、ボルト11及びナット12により締結固定されている。
【００１３】
ここにおいて、本発明の特徴とするところは、ガスケット９の形状および配置である。このガスケット９は、入口フランジ６と配管フランジ８との間に挟持される挟持フランジ部9aと、その半径方向の内側端部に一体に形成された小筒部9bとからなる。そのガスケット９の小筒部9bの外周直径は、入口フランジ６の小筒部6bの内周直径よりも小に形成され、両者の間に空間10が形成されている。そして、ガスケット９の小筒部9bの先端部はチューブ２の先端開口に近接する。
また、コア３の下流端側の入口フランジ６，ガスケット９は図３のそれと同一である。
【００１４】
そして、入口パイプ16から冷却水５がケーシング４内に導かれて、各チューブ２の外周を流通し、それが出口パイプ17から外部に流出される。そして、高温ガス１が図１においてケーシング４の右端から配管７を介して流入する。この高温ガス１は、ガスケット９の小筒部9bに導かれ各チューブ２内を流通する。このとき、入口フランジ６は空間10を介しガスケット９の小筒部9bによって覆われているため、高温ガス１が直接入口フランジ６に触れることがない。
ガスケット９の小筒部9bに導かれた高温ガス１は、チューブ２内に流入し、その外周に導かれた冷却水５によって冷却される。なお、チューブ２の先端部は、その近傍まで冷却水が接するため、高温になることがない。
【００１５】
次に、図２は本発明の第２の実施の形態を示し、この例はコア３がチューブプレート18を有するものである。
即ち、図において左右一対（左側を省略）のチューブプレート18に多数のチューブ挿通孔が穿設され、それにチューブ２の端部が挿通され、その挿通部が一体にろう付け固定されてコア３を構成し、そのコア３の外周にケーシング４が被嵌されている。
【００１６】
そして、この例のフランジ接続構造は、図１のそれとほぼ同様である。異なる点は、ガスケット９の小筒部9bの先端部がチューブプレート18に近接している。このチューブプレート18には冷却水５が接触するため、比較的低温に保たれる。
入口フランジ６は、図１の例と同様にガスケット９の小筒部9bによって覆われているため、入口フランジ６に高温ガス１が直接接触することがない。そのため、入口フランジ６が異常に高温になることを抑制できる。
【図面の簡単な説明】
【００１７】
【図１】本発明の熱交換器のフランジ接続構造の第１の実施の形態を示す縦断面図。
【図２】本発明の熱交換器のフランジ接続構造の第２の実施の形態を示す要部縦断面図。
【図３】従来型熱交換器の縦断面図。
【図４】図３のIII−III矢視断面略図。
【図５】同熱交換器のコア３の説明図。
【符号の説明】
【００１８】
１  高温ガス
２  チューブ
2a  膨出部
３  コア
４  ケーシング
５  冷却水
６  入口フランジ
6a  フランジ部
6b  小筒部
【００１９】
７  配管
８  配管フランジ
９  ガスケット
9a  挟持フランジ部
9b  小筒部
10  空間
11  ボルト
12  ナット
【００２０】
13  環状凹部
14  インナーフィン
15  ディンプル
16  入口パイプ
17  出口パイプ
18  チューブプレート
19  入口タンク
20  出口タンク
【図１】
0004926892.tif 000002
【図２】
0004926892.tif 000003
【図３】
0004926892.tif 000004
【図４】
0004926892.tif 000005
【図５】
0004926892.tif 000006